(57)【要約】【課題】上下に重ね合わされた複数の横材と、これら横材の左右両側に配置された一対の縦框とを備えた構成の門扉において、縦框が目立つことがなく、かつ、錠部材を取り付けるための手間や取付部品点数の増大を抑えることができるようにする。【解決手段】門扉１０は、上下に重ね合わされた複数の横材２０と、その左右両側に配置された縦框３０とを備える。横材２０の両端部内側には縦框３０を嵌入するための凹部２３が設けられ、縦框３０は凹部２３に嵌入されて両側から最上部及び最下部の横材２０Ａにビス止めされる。縦框３０の錠部材取付部３０３に対応する高さの横材２０の端部には切欠部２９が設けられることで、錠部材取付部３０３は外観表面に露出する。【選択図】    図３
2005207036.tif 000002
【特許請求の範囲】
【請求項１】
上下に重ね合わされた複数の横材と、これら横材の左右両側に配置された一対の縦框とを備え、一方の前記縦框が錠部材を取り付けるための錠部材取付部を有する門扉であって、前記横材の両端部に前記縦框を嵌入するための凹部を設け、前記縦框を前記凹部に嵌入すると共に少なくとも最上段及び最下段の横材にビス止めし、前記錠部材取付部が露出するように前記横材の一部を切り欠いたことを特徴とする門扉。
【請求項２】
前記錠部材取付部の上下方向の幅と、前記横材の上下方向の幅とが略同一であることを特徴とする請求項１記載の門扉。
【請求項３】
前記錠部材取付部に、前記横材の切欠部分の小口を少なくとも覆う座板を介して錠部材が取り付けられることを特徴とする請求項１又は２記載の門扉。
【請求項４】
前記錠部材取付部に、前記横材の切欠部分の小口と前記縦框との間の隙間に挿入されるキャップ部材が設けられることを特徴とする請求項１又は２記載の門扉。
【発明の詳細な説明】
【技術分野】
【０００１】
本発明は、上下に重ね合わされた複数の横材と、これら横材の左右両側に配置された一対の縦框とを備える門扉に関する。
【背景技術】
【０００２】
従来より、門扉として、左右の縦框の間に複数の横材を重ね合わせた構成のものがある（例えば、特許文献１を参照）。このような構成の門扉によれば、上下に重ね合わせられた横材により横基調の美しいデザインが醸し出される。ところで、門扉には錠部品やハンドルなどの錠部材が取り付けられるが、上記のように縦框と横材とにより構成される門扉においては、縦框に錠部材を取り付けることが望ましい。これは、錠部材を縦框に取り付ければ、横材への取り付け加工が不要となり、錠部材の取り付けの手間が少なくなるからである。しかし、縦框に錠部材を取り付ける構成では、その取り付け部分を確保するために縦框の幅を一定以上にすることが必要となり、そのような幅の広い縦框が外観に露出すると横基調のデザインを損ねてしまうことになりかねない。
【０００３】
一方、特許文献２には、横材の両端部に切り欠き形成した嵌入部を設け、この嵌入部に縦框を嵌入して縦框を横材で覆うことにより縦框が外観に大きく露出しないように構成した門扉が開示されている。かかる構成によれば、縦框が外観にほとんど露出せず、目立たないため、横基調のデザインを保持することが可能となる。
【特許文献１】特開昭６０−２５５２０号公報
【特許文献２】実開平４−２３１９号公報
【発明の開示】
【発明が解決しようとする課題】
【０００４】
しかし、特許文献２に開示されるように縦框を横材の内側に嵌入させる構成では、錠部材を取り付けるための加工を縦框と横材の両方に施さねばならなくなり、また、錠部材の取り付けに専用の部品が必要となるなど、取り付け手間や取付部品の点数が多くなってしまうという問題がある。
【０００５】
本発明は上記の点に鑑みてなされたものであり、上下に重ね合わされた複数の横材と、これら横材の左右両側に配置された一対の縦框とを備えた構成の門扉において、縦框が目立たず、かつ、錠部材を取り付けるための手間や取付部品点数の増大を抑えることができるようにすることを目的とする。
【課題を解決するための手段】
【０００６】
上記の目的を達成するため、本発明は、上下に重ね合わされた複数の横材と、これら横材の左右両側に配置された一対の縦框とを備え、一方の前記縦框が錠部材を取り付けるための錠部材取付部を有する門扉であって、前記横材の両端部に前記縦框を嵌入するための凹部を設け、前記縦框を前記凹部に嵌入すると共に少なくとも最上段及び最下段の横材にビス止めし、前記錠部材取付部が露出するように前記横材の一部を切り欠いたことを特徴とする。
【０００７】
本発明によれば、縦框が横材端部の凹部に嵌入されることにより、縦框がほとんど外観に露出しないで目立たなくなる。また、縦框の錠部材取付部が露出するように横材の一部が切り欠かれることにより、錠部材を縦框に直接取付けることが可能となる。すなわち、錠部材の取り付けのために横材に加工を施すことが不要となるので、錠部材の取り付けの手間や取付部品点数の増大を抑えることができる。
【０００８】
また、本発明の門扉において、前記錠部材の取付部の上下方向の幅と、前記横材の上下方向の幅とが略同一であることとしてもよい。
【０００９】
また、前記錠部材取付部に、前記横材の切欠部分の小口を少なくとも覆う座板を介して錠部材が取り付けられることとしてもよく、あるいは、前記横材の切欠部分の小口と前記縦框との間の隙間に挿入されるキャップ部材が設けられることとしてもよい。
【発明の効果】
【００１０】
本発明によれば、上下に重ね合わされた複数の横材と、これら横材の左右両側に配置された一対の縦框とを備えた構成の門扉において、縦框が目立たず、かつ、錠部材を取り付けるための手間や取付部品点数の増大を抑えることができる。
【発明を実施するための最良の形態】
【００１１】
以下、添付図面を参照して本発明の実施形態について説明する。
【００１２】
図１は、本発明の一実施形態である門扉１０を備えた門扉構造１の全体構成を道路側から見た正面図であり、図２は、門扉構造１を部分的に示す平面図である。なお、図２において、図中上側が道路側に相当している。また、図３は、門扉１０の分解斜視図であり、図４は、門扉１０の水平断面図であり、図５は、図４のV−V断面図であり、図６は、図４のVI−VI断面図である。さらに、図７は、図３のＡ部を拡大して示す図である。
【００１３】
図１に示す如く、本実施形態では、一対の門柱２にそれぞれ取り付けられた２枚の門扉１０が設けられている。図１〜図３に示すように、各門扉１０は、左右両側に配置された一対の縦框３０と、それら縦框３０の間に上下に積み重ねられた複数の横材２０と備えている。横材２０及び縦框３０の表面には、例えば、木目調のラミネート加工が施され、また、横材２０に飾り部材８０が取り付けられている。
【００１４】
門扉１０を構成する一方の縦框３０（門扉構造１の中央側の縦框３０；図３では左側の縦框３０）には、錠部材を取り付けるための開口部３０１や取付穴３０２を含む錠部材取付部３０３が設けられている。後述するように、本実施形態では、横材２０として、３種類の横材２０Ａ，２０Ｂ，２０Ｃを用い、これら横材２０Ａ〜２０Ｃの端部に縦框３０を嵌入する構成としているが、錠部材取付部３０３に対応する高さの横材２０Ｂの端部を切り欠いて切欠部２９を形成し、縦框３０に設けられた錠部材取付部３０３を外観表面に露出させている。
【００１５】
図７に示すように、錠部材取付部３０３には、上段の横材２０Ｃの下辺、下段の横材２０Ｃの上辺、及び、横材２０Ｂの切欠部２９の小口を覆うように座板６０が設けられ、座板６０を介して錠部材４０（図２を参照）が取り付けられる。なお、座板６０に代えて、例えば図８に示すように、横材２０Ｃの小口と縦框３０との間の隙間に嵌入されるキャップ部材６２を設けることとしてもよい。座板６０あるいはキャップ部材６２は、アルミニウム、樹脂、ゴム等の適宜な材料で構成され、横材２０Ｂの小口に生ずる隙間を隠して門扉１０の美観を保つと共に、その隙間から門扉１０内へ雨水等が浸入するのを防止する役割を有している。
【００１６】
図２に示すように、錠部材取付部３０３に取り付けられる錠部材４０は、一方（図２中左側）の門扉１０に取り付けられた第１の錠部材４０Ａと、他方（図２中右側）の門扉１０に取り付けられた第２の錠部材４０Ｂとにより構成されている。図２には、錠部材４０がタッチ錠の場合の構成を示しており、第１の錠部材４０Ａは、ハンドル４１と、ハンドル４１の回転操作に連動して進退動する爪部材４２とを備え、また、第２の錠部材４０Ｂは、爪部材４２を収容する爪収容部４３を備えている。各錠部材４０は、門扉１０を両側から挟むように上記錠部材取付部３０３の開口部３０１に嵌め込まれ、取付穴３０２にビス止めされる。なお、錠部材４０の構成はタッチ錠に限らず、例えば、内掛錠４００など、他の形式の錠部材を用いてもよい。
【００１７】
図２に示すように、各門扉１０は、ヒンジ５０を介して門柱２に支持されている。ヒンジ５０は、取付板５２を用いて、ボルト５４により縦框３０の端部に取り付けられている。また、図１に示すように、一方の門扉１０（図１中左側の門扉１０）には落とし棒５６が取り付けられており、図２に示すように、他方の門扉１０の、門扉構造１の中央側（図２中左側）の縦框３０には戸当たり５８が取り付けられている。
【００１８】
図３、図５、及び図６に示すように、本実施形態では、複数の横材２０として、最上段及び最下段の横材２０Ａと、錠部材が取り付けられる段（本実施形態では上から４段目）の横材２０Ｂと、それら以外の段の横材２０Ｃの３種類の部材を用いている。なお、最上段の横材２０Ａと最下段の横材２０Ａは互いに上下逆向きの姿勢で設けられ、また、横材２０Ｂより上側の横材２０Ｃと下側の横材２０Ｃも互いに上下逆向きの姿勢で設けられている。
【００１９】
次に、横材２０及び縦框３０の詳細構成について説明する。  
図９及び図１０は、夫々、横材２０Ａの鉛直断面図及び水平断面図であり、図１１は、横材２０Ｂの鉛直断面図であり、図１２は、横材２０Ｃの鉛直断面図である。また、図１３は、縦框３０の水平断面図であり、図１４は、縦框３０を図１３の矢印XIVの向きから見た図である。
【００２０】
これらの図面に示すように、横材２０Ａ〜２０Ｃ及び縦框３０は、略矩形の断面形状を有する中空の形状を有しており、例えば、アルミニウム押出型材により構成されている。なお、本実施形態では、横材２０Ａ〜２０Ｃの上下方向の寸法は互いにほぼ同一となるようにしている。
【００２１】
先ず、図９〜図１２を参照して、横材２０Ａ〜２０Ｃの構成を説明する。なお、図９〜図１２において、横材２０Ａ，２０Ｂ，２０Ｃに共通の構成部分には同一の符号を付している。図９〜図１２に示す如く、横材２０Ａ〜２０Ｃは、互いに対向する一対の縦壁２１と、これら縦壁２１を接続する２枚のウエブ２２とを備えている。このウエブ２２の両端部は切り欠かれて、縦框３０を嵌入させるための嵌入凹部２３が構成されている。なお、図１０には、同図中左側の嵌入凹部２３に嵌入された縦框３０を２点鎖線で示している。
【００２２】
図９に示すように、横材２０Ａが備える一対の縦壁２１は、それらの一端部（同図中上端部）において、外側に膨らむように湾曲した覆い壁２４により接続されていると共に、各縦壁２１の他端部には内側に屈曲した爪部２５が設けられている。また、各ウエブ２２の中央部にはビス受け２６が設けられている。
【００２３】
図１１に示すように、横材２０Ｂが備える各縦壁２１の上下端部には、縦壁２１の間隔よりも狭められた延長部２７が設けられている。また、各ウエブ２２の中央部には、一対の微小な突起２８が設けられている。そして、上述したように、横材２０Ｂの門扉構造１中央側（図中左側）の端部には切欠部２９（図３を参照）が設けられて、縦框３０の錠部材取付部３０３が露出するようになっている。なお、本実施形態では、各横材２０の上下方向の幅と、錠部材取付部３０３の上下方向の幅とがほぼ等しいものとしており、横材２０Ｂの断面全体を切り欠くことにより切欠部２９が形成されている。また、横材２０Ｂのウエブ２２は切欠部２９よりも奥まで切り欠かれており、この切欠部分が嵌入凹部２３を構成している。
【００２４】
図１２に示すように、横材２０Ｃが備える各縦壁２１の一端部（同図中上端部）には、横材２０Ｂと同様の延長部２７が設けられており、他端部には横材２０Ａと同様の爪部２５が設けられている。また、各ウエブ２２の中央部には、横材２０Ｂと同様に、一対の突起２８が設けられている。
【００２５】
以上の横材２０Ａ，２０Ｂ，２０Ｃは、図５、図６等に示すように、各段の横材２０の爪部２５が隣接する上段又は下段の横材２０の延長部２７を外側から挟むように上下に重ね合わせられる。
【００２６】
次に、縦框３０の構成について説明する。なお、ここでは、錠部材取付部３０３を備える側の縦框３０について説明する。  
図１３に示すように、縦框３０は、互いに対向する一対の縦壁３１と、これら縦壁３１を一端側（横材２０に嵌入される側；図１３中右側）で接続する第１接続壁３２と、縦壁３１を他端側で接続する第２接続壁３３とを備えている。第１接続壁３２の外面には、この面から略垂直に突出するヒレ板３４が設けられている。図１４に示すように、ヒレ板３４は、最上段及び最下段の横材２０Ａに対応する部分を除く範囲に設けられている。
【００２７】
図１４に示すように、ヒレ板３４には、スリット３５が設けられている。このスリット３５は、縦框３０と横材２０とが互いに組み付けられた状態で横材２０のウエブ２２に対応する位置に複数形成されている。後述するように、各スリット３５に、横材２０の対応するウエブ２２が挿入されることにより、縦框３０と横材２０とがより堅固に組み付けられるようになっている。
【００２８】
図１３及び図１４に示すように、各縦壁３１の外面には、フィン３６が設けられている。図１４に示すように、フィン３６は、縦框３０の錠部材取付部３０３を除く範囲に設けられている。このフィン３６は、縦框３０が横材２０に嵌入された状態で横材２０の端面に当接して、横材２０と縦框３０との間に生ずる隙間を覆う役割を有している。また、各縦壁３１の第２接続壁３３側の端部には内側に略直角に屈曲された屈曲部３７が設けられている。この屈曲部３７及び第２接続壁３３で画成される溝部３８内に上記図２に示す取付板５２が設置され、屈曲部３７をヒンジ５０及び取付板５２で両側から挟み込むようにボルト５４が締め付けられることで、ヒンジ５０が縦框３０に取り付けられる。なお、図３に示すように、第１接続壁３２及び第２接続壁３３の上下端部近傍には、ビスを貫通させるためのビス穴３０４，３０５が設けられている。
【００２９】
以上、錠部材取付部３０３を備える側の縦框３０について説明したが、他側の縦框３０の構成も、錠部材取付部３０３が設けられず、これに対応して、フィン３６が全高に亘って設けられる点を除いて同様である。
【００３０】
門扉１０を組み立てる場合、図３に示すように、横材２０Ａ、２０Ｂ、２０Ｃを上下に組み合わせると共に、横材２０Ａの両端部に、覆い壁２４の湾曲に沿った形状を有するキャップ７０を嵌入した状態で、縦框３０を横材２０の両側の嵌入凹部２３に嵌入し、ヒレ板３４のスリット３５に横材２０のウエブ２２を挿入させる。そして、ビス９０，９２を縦框３０のビス穴３０４，３０５に貫通させて、ビス９０を横材２０のビス受け２６にねじ込むと共に、ビス９２をキャップ７０に設けた不図示のネジ穴にねじ込む。これにより、横材２０、キャップ７０、及び縦框３０が一体に組み付けられる。
【００３１】
上述の通り、門扉１０においては、横材２０Ｂの端部が切り欠かれることにより、錠部材取付部３０３が外観表面に露出するようになっている。この露出した錠部材取付部３０３の両面側から錠部材４０Ａ、４０Ｂを開口部３０１に嵌め込んで取付穴３０２にビス止めする。
【００３２】
以上説明したように、本実施形態の門扉１０によれば、縦框３０を横材２０の端部に設けた嵌入凹部２３に嵌入させることにより、縦框３０の大部分を横材２０で覆って目立たなくすることができると共に、横材２０Ｂの端部を切り欠いて、縦框３０の錠部材取付部３０３を露出させることにより、錠部材４０を縦框３０に直接取り付けることができる。このため、複数の横材２０を重ね合わせた横基調のデザインが、縦框３０によって損なわれるのを極力抑えつつ、錠部材４０の取り付けにあたって、横材２０に加工を施したり、錠部材取付用の専用部品を使用したりすることが不要となり、錠部材の取り付けの手間や部品点数の増大を抑えることができる。
【００３３】
また、本実施形態では、従前の門扉（縦框を横材に嵌入させない構成の門扉）に比べて、縦框３０を横材２０の端部に嵌入させる分だけ門扉１０の厚みが大きくなるが、錠部材４０を縦框３０に直接取付ける構成であるため、錠部材取付部３０３の厚みは従前の門扉と変わらない。このため、従前の門扉と同じ錠部材４０やその取付部品を用いることが可能となり、従前の門扉との互換性を持たせることができる。
【００３４】
なお、上記実施形態では、横材２０の上下方向の幅と、縦框３０の錠部材取付部３０３の上下方向の幅とがほぼ等しいものとして、横材２０Ｂの端部を全断面に亘って切り欠く構成とした。しかしながら、本発明はこれに限らず、横材２０の上下方向の幅よりも錠部材取付部３０３の上下方向の幅の方が小さい場合には、錠部材取付部３０３の幅に合わせて、横材２０Ｂの断面の一部のみを切り欠くようにしてもよい。これとは逆に、横材２０の上下方向の幅よりも錠部材取付部３０３の上下方向の幅の方が大きい場合には、複数段の横材２０に亘って切り欠くようにすればよい。
【００３５】
また、上記実施形態では、縦框３０を最上段及び最下段の横材２０Ａにのみビス止めし、他の横材２０Ｂ，２０Ｃについては、ビス止めすることなく、ヒレ板３４のスリット３５にウエブ２２を挿入することにより、横材２０と縦框３０とを堅固に組み付けることができる構成とした。しかしながら、本発明はこれに限らず、縦框３０を、横材２０Ａに加えてそれ以外の横材２０にビス止めすることとしてもよい。さらに、上記実施形態における横材２０Ａ，２０Ｂ，２０Ｃの構成は一例であって種々の変形が可能であり、また、横材２０の種類は３種類に限らず、適宜な種類の横材２０を用いることができる。要するに、縦框３０の間に複数の横材２０が上下に重ね合わされ、縦框３０が少なくとも最上段及び最下段の横材２０にビス止めされて、錠部材取付部３０３が露出するように横材２０の一部が切り欠かれる構成であれば本発明の範囲に含まれる。
【図面の簡単な説明】
【００３６】
【図１】本発明の一実施形態である門扉を備えた門扉構造の全体構成を示す正面図。
【図２】図１の門扉構造の部分平面図。
【図３】本実施形態の門扉の分解斜視図。
【図４】本実施形態の門扉の水平断面図。
【図５】図４のV−V断面図。
【図６】図４のVI−VI断面図。
【図７】門扉の錠部材取付部を拡大して示す斜視図。
【図８】錠部材取付部にカバー部材に代えてキャップ部材を設ける構成を示す斜視図。
【図９】最上段及び最下段の横材の鉛直断面図。
【図１０】図９の横材の水平断面図。
【図１１】錠部材取付部に対応する段の横材の鉛直断面図。
【図１２】その他の段の横材の鉛直断面図。
【図１３】縦框の水平断面図。
【図１４】縦框を図１３の矢印XIV方向から見た図。
【符号の説明】
【００３７】
１０  門扉
２０（２０Ａ、２０Ｂ、２０Ｃ）  横材
２３  嵌入凹部
２９  切欠部
３０  縦框
４０  錠部材
６０  座板
６２  キャップ部材
３０３  錠部材取付部
【図１】
2005207036.tif 000003
【図２】
2005207036.tif 000004
【図３】
2005207036.tif 000005
【図４】
2005207036.tif 000006
【図５】
2005207036.tif 000007
【図６】
2005207036.tif 000008
【図７】
2005207036.tif 000009
【図８】
2005207036.tif 000010
【図９】
2005207036.tif 000011
【図１０】
2005207036.tif 000012
【図１１】
2005207036.tif 000013
【図１２】
2005207036.tif 000014
【図１３】
2005207036.tif 000015
【図１４】
2005207036.tif 000016